(57)【要約】ベビー用おむつの如き使い捨て吸収物品であって、前記物品が第一端部分（１）及び第二端部分（２）、及び中間股部分（３）を含み、前記部分が使用中使用者の方に向けられる内部層（４）を含む。前記物品は機械的テープ固定手段（２５，２６）を第二端部分（２）の領域に形成されており、機械的テープ固定手段（２５，２６）が、物品の適用時に第一端部分（１）の外部層上に配置される一つ又は幾つかの固定部分（２７）と脱着自在に相互接続されることを意図される。前記物品は、前記テープ固定手段（２５，２６）が物品の内部層（４）上に配置されていること、前記テープ固定手段が製造者の結合表面（３９）によってテープ固定手段（２５，２６）の第一端部分（２８）に接合されていること、使用者の結合表面（３１）がテープ固定手段の対向する第二端部分（３０）、使用者の端部分上に配置されていること、物品の使用前、テープ固定手段（２５，２６）が折りたたまれた保管状態で配置され、前記テープ固定手段の各々は奇数の折り目（３８）で形成され、前記製造者の結合表面（３９）と前記使用者の結合表面（３１）の両方の結合表面が物品の内部層（４）の方に向けられること、二つの対向するテープ固定手段（２５，２６）の使用者の端部分（３０）が前記保管状態で互いに面し、前記物品の保管状態では個々の折りたたみ部（それぞれ２８及び２９）が結合（３２）、好ましくは熱又は超音波溶接の形のものによって他の折りたたみ部（それぞれ２８及び２９）の少なくとも一つに接合され、前記結合が前記テープ固定手段の使用の状態を確立するために破壊可能であることを特徴とする。【選択図】図１
2004522504.tif 000002
【特許請求の範囲】
【請求項１】
ベビー用おむつ、失禁おむつ、又はそれらの類似物品の如き使い捨て吸収物品であって、前記物品が物品の使用中使用者の腰領域を完全に又は部分的に包囲することを意図される第一端部分（１）及び第二端部分（２）、及び中間股部分（３）を含み、前記部分が使用中使用者の方に向けられかつ少なくとも使用者の性器に対向する股部分において液体透過性である内部層（４）を含み、さらに前記物品が液体不透過性外部層（１４）、及び前記外部及び内部層の間に配置された吸収体（２１）を含み、前記物品が機械的テープ固定手段（２５，２６）を第二端部分（２）の領域に形成されており、機械的テープ固定手段（２５，２６）が、物品の適用時に第一端部分（１）の外部層上に配置されかつ機械的テープ固定手段（２５，２６）に相補的である一つ又は幾つかの固定部分（２７）と脱着自在に相互接続されることを意図されるものにおいて、
前記物品が少なくとも二つの前記テープ固定手段（２５，２６）を含み、それらが前記第二端部分（２）の対向する側方部分（２３，２４）の物品の内部層（４）上に配置されていること、
テープ固定手段（２５，２６）が一つの縦方向及び一つの横方向の延長部を有すること、
前記テープ固定手段がテープ固定手段（２５，２６）の第一端部分（２８）上に配置された製造者の結合表面（３９）によって物品の内部層（４）に永続的に接合されていること、
使用者の結合表面（３１）がテープ固定手段の対向する第二端部分（３０）、使用者の端部分上に配置されていること、
物品の使用前、テープ固定手段（２５，２６）が折りたたまれた保管状態で配置され、前記テープ固定手段の各々は奇数の折り目（３８）で形成され、前記製造者の結合表面（３９）と前記使用者の結合表面（３１）の両方の結合表面が物品の内部層（４）の方に向けられること、
二つの対向するテープ固定手段（２５，２６）の使用者の端部分（３０）が前記保管状態で互いに面し、前記物品の保管状態では個々の折りたたみ部（それぞれ２８及び２９）が結合（３２）、好ましくは熱又は超音波溶接の形のものによって他の折りたたみ部（それぞれ２８及び２９）の少なくとも一つに接合され、前記結合が前記テープ固定手段の使用の状態を確立するために破壊可能であることを特徴とする物品。
【請求項２】
物品の保管状態において、テープ固定手段（２５，２６）が内部層（４）上で全体に配置され、テープ固定手段の側方最外端縁（３８）が前記側方部分（２３，２４）の側方縁の内側に位置されることを特徴とする請求項１に記載の物品。
【請求項３】
物品の保管状態において、機械的テープ固定手段（２５，２６）が一つの折り目（３８）だけを含むこと、折り目が前記保管状態ではテープ固定手段の側方最外端縁を形成すること、テープ固定手段が中央部分（２９）を含み、中央部分（２９）が前記破壊可能な結合（３２）によって第一端部分（２８）に接続され、中央部分（２９）が第一端部分（２８）をカバーすること、及び使用者の結合表面（３１）が前記折りたたまれた保管状態にあるとき、対向する端部分（３０）が第一端部分（２８）の側方内側に位置されることを特徴とする請求項１または２に記載の物品。
【請求項４】
使用者の結合表面（３１）がフックアンドループ固定手段のフックの形であること、及び相補的な固定部分（２７）がフックアンドループ固定手段の他の半分を形成し、かつフックを固定できる材料から形成され、前記材料がフックとの協働のための開口、ループ又は繊維フィラメントで形成されていることを特徴とする請求項３に記載の物品。
【請求項５】
物品の内部層（４）が繊維を含み、その繊維において使用者の結合表面（３１）のフックが固定されてフックアンドループ固定手段に対して相対的に弱い結合及び中央部分と第一端部分の間の前記結合を形成することを特徴とする請求項４に記載の物品。
【請求項６】
機械的テープ固定手段（２５）の最外端部分（３３）が弱い接着力を与える感圧性接着剤で被覆されていることを特徴とする請求項３〜５のいずれか一つに記載の物品。
【請求項７】
４０ｍｍの幅を有する互いに一緒に接合されたテープ固定手段ストリップから分離するために０．２〜２Ｎ、好ましくは０．５〜１．５Ｎの範囲の力が要求されることを確実にするように前記破壊可能な結合（３２）が設計されていることを特徴とする請求項１〜６のいずれか一つに記載の物品。
【請求項８】
結合（３２）が点又は線のパターンの形であること、及び結合がテープ固定手段（２５）に対する損傷なしに破壊可能であることを特徴とする請求項１〜７のいずれか一つに記載の物品。
【請求項９】
機械的テープ固定手段（２５，２６）が３０〜１０ｍｍの幅を有することを特徴とする請求項１〜８のいずれか一つに記載の物品。
【請求項１０】
機械的テープ固定手段が二つの端部分（２８，３０）の間に配置された少なくとも一つの弾性部分（２９）を含み、前記弾性部分が物品の使用中の負荷の発生時に延伸するように配置されていることを特徴とする請求項１〜９のいずれか一つに記載の物品。
【請求項１１】
機械的テープ固定手段（２５，２６）が物品の使用中の負荷の発生時に延伸しないことを特徴とする請求項１〜９のいずれか一つに記載の物品。
【発明の詳細な説明】
【０００１】
技術分野
本発明はベビー用おむつ、失禁おむつ、又はそれらの類似物品の如き使い捨て吸収物品であって、前記物品が物品の使用中使用者の腰領域を完全に又は部分的に包囲することを意図される第一端部分及び第二端部分、及び中間股部分を含み、前記部分が使用中使用者の方に向けられかつ少なくとも使用者の性器に対向する股部分において液体透過性である内部層を含み、さらに前記物品が液体不透過性外部層、及び前記外部及び内部層の間に配置された吸収体を含み、前記物品が機械的テープ固定手段を第二端部分の領域に形成されており、機械的テープ固定手段が、物品の適用時に第一端部分の外部層上に配置されかつ機械的テープ固定手段に相補的である一つ又は幾つかの固定部分と脱着自在に相互接続されることを意図されるものに関する。
【０００２】
背景技術
使用者の腰のまわりに、ベビー用おむつ、失禁おむつ又はそれらの類似物品の如き使い捨て吸収物品を取り付けるために様々なタイプの固定手段が使用されている。固定手段の例として接着テープ固定手段及び機械的テープ固定手段を挙げることができる。テープ端が繰り返し固定、脱固定及び再固定されることができる接着固定システムが８０年代の初めから市場で入手可能であった。このタイプの一つの接着テープ固定システムはＵＳ  ５０２４６７２に記載されている。
【０００３】
固定システム及び固定手段を規定するために接着テープ固定システム及び接着テープ固定手段という表現と同様に機械的テープ固定システム及び機械的テープ固定手段という表現がここでは使用され、そこでは結合は接着手段によってではなく、フックアンドループ固定手段として知られる固定部分の一方の上に配置されるフックと他方のフックアンドループ固定部分上に配置されるループ、開口又は繊維フィラメントの間の機械的相互連結によって実施される。
【０００４】
ほとんどの点において、現代の接着テープ固定システムは満足に機能する。しかしながら、深刻な問題は、例えば滑石粉又はベビー用オイルが感圧性接着剤材料上に又はテープが取り付けられる結合表面上にこぼれた場合の接着品質の劣化である。この問題は機械的テープ固定システムを使用することによって除去されることができる。加えて、消費者は初期の使い捨て吸収物品の外部層が優位に形成したプラスチックフィルムとは対照的に柔らかいタッチを有しかつ織物状外観を持つ使い捨て吸収物品を望む。これまで、機械的テープ固定システムは極めて高価であったので、接着テープ固定システムと競合できなかった。しかしながら、近年においてより価格競争可能である新規な機械的テープ固定システムが開発されている。この事実は織物状外部層の使用の増加及び結合表面上のこぼれによって生じる問題の除去と結合されて機械的テープ固定システムを使用する使い捨て吸収物品の製造に益々寄与するようになっている。
【０００５】
例えばおむつの後端部分の両側上に機械的テープ固定手段を適用し、上述の特許明細書、ＵＳ  ５０２４６７２に記載されたものに対応する方法でおむつの対向端の外部表面上に相補的結合表面を与えることによって、装着時のおむつの固定、脱固定及び再固定の問題は原理的に対応する方法で解決されている。かかる機械的テープ固定システムは例えばＥＰ−Ａ１−０３２４５７８に記載されている。この公報はまた、おむつの内側の糞便の信頼性ある囲いのための閉じられたパッケージを形成するように使用済おむつを封止する際に伴う問題に触れ、この問題を解決する一つの手段を記載する。
【０００６】
この公報は、機械的テープ固定手段が意図した結合表面に取り付ける前におむつの部分上にうっかりフックしてしまうために生じる問題を述べている。
【０００７】
長年にわたって、テープ固定手段の永続的固定は多くの開発に供され、多くの提案される解決策が特許文献に与えられている。これはおむつ装着前に望ましくない場所に偶然に接着することからテープ固定手段の結合表面を保護する問題については本当である。物品の製造工程において製造業者によって物品に固定されるテープ固定手段はおむつが装着されるときにかなりの応力にさらされ、それと関連して生じる力は固定点によって吸収される。もしテープ固定手段が物品の外部層だけに取り付けられるなら、この層は物品が装着されるときに引き裂かれる危険がある。この問題は既にＵＳ  ３８６７９４０に述べられており、この特許明細書に提案される解決策は固定点の領域における外部層を補強することである。
【０００８】
市場及び特許文献に最も優位に見出される解決策はいわゆるＹテープの使用であり、それはおむつの縁部分のまわりに適用される二つの枝部からなり、一方の枝部は外部層上に、他方の枝部は内部層上に適用され、かくして内部層並びに外部層の固有強度を利用する。上述の文献ＥＰ−Ａ１−０３２４５７８及びＷＯ  ９５／０５１４０は例えば機械的テープ固定手段のために設計されたＹテープを開示する。
【０００９】
Ｙテープに固有の一つの欠点はそれらが製造中おむつの如き使い捨て吸収物品の縁部分の両側上に取り付けられなければならないことである。製造は極めて高いスピードで走行するウェブの形で行われ、Ｙテープの適用を極めて複雑にする特徴を有する。さらなる欠点はおむつの如き物品の迅速に進行するウェブの縁部分のまわりに適用されるテープ固定手段の位置は製造工程を変化する自由度及び物品自体を変化する自由度の両方に関して深刻な欠点に導きうる。
【００１０】
別の従来技術の解決策はいわゆるＺ折りたたみテープであり、それは物品の外部層の外部表面に永続的に固定される。Ｚ折りたたみテープは例えばＵＳ特許明細書４５７６５９８に示されている。Ｚ折りたたみテープに固有の欠点はそれらが例えばおむつの外部層の外部表面に取り付けられることであり、その結果Ｚテープはいったん取り付けられると、続く処理工程（前記工程は横方向の切断、横方向の折り畳み及びバック中の挿入を通常含む）中、保護されないことである。ある程度まで、これはＹテープを含むおむつにも適用可能である。
【００１１】
物品の保管状態では、即ち使用される前では、テープ固定手段上の接着剤及びフックオン固定部分は物品装着時に物品の取扱いをより困難にする偶然のフックオン又は接着をそれぞれ防止するために安全にカバーされるべきである。これまで、この問題はテープ固定手段の保管状態において、機械的テープ固定手段上に含まれる前記固定手段上の接着部分が剥離剤被覆層に対して接することを確実にすることによって通常解決される。この種の解決策は例えば上述のＥＰ−Ａ１−０３２４５７８に記載されている。しかしながら、剥離剤被覆はかなり高価であると同時に、それらはテープ固定手段における追加層の提供をしばしば必要とし、それはテープ固定手段の設計をより複雑にする。機械的テープ固定システムが使用されるとき、テープ固定手段の保管状態において、テープ固定手段の機械的結合表面に相補的であるフックアンドループ固定手段の一部に対して接し、かつそれと機械的に相互接続させるようにテープ固定手段の機械的結合表面を配置することがもちろん考えられる。しかしながら、もし安全に相互接続する結合が望まれるなら、この種の解決策は物品の全ての機械的固定手段に対して相補的結合表面の提供を必要とし、それは結果として材料コストを増大させ、前記物品の製造をより複雑にする。
【００１２】
発明の開示
本発明によれば、冒頭で規定された種類の吸収物品に見出される上述の問題が除去される。
【００１３】
この目的のため、本発明による物品は、前記物品が少なくとも二つの前記テープ固定手段を含み、それらが前記第二端部分の対向する側方部分の物品の内部層上に配置されていること、
テープ固定手段が一つの縦方向及び一つの横方向の延長部を有すること、
前記テープ固定手段がテープ固定手段の第一端部分上に配置された製造者の結合表面によって物品の内部層に永続的に接合されていること、
使用者の結合表面がテープ固定手段の対向する第二端部分、使用者の端部分上に配置されていること、
物品の使用前、テープ固定手段が折りたたまれた保管状態で配置され、前記テープ固定手段の各々は奇数の折り目で形成され、前記製造者の結合表面と前記使用者の結合表面の両方の結合表面が物品の内部層の方に向けられること、
二つの対向するテープ固定手段の使用者の端部分が前記保管状態で互いに面し、前記物品の保管状態では個々の折りたたみ部が結合、好ましくは熱又は超音波溶接の形のものによって他の折りたたみ部の少なくとも一つに接合され、前記結合が前記テープ固定手段の使用の状態を確立するために破壊可能であることを特徴とする。
【００１４】
機械的テープ固定手段が物品の内部層の内部表面に取り付けられるので、製造工程はＹテープを含む従来技術の解決策の場合より簡単でかつ信頼性のある方法で行われることができる。本発明による物品のための機械的テープ固定手段に関する全ての折りたたみ工程はベビー用おむつの如き使い捨て吸収物品の合理的かつ競争的な製造のための現代の機械に見出される高いウェブ速度よりかなり低いスピードで実施されてもよい。高スピードで走行する物品のウェブ上への本発明による完全に折りたたまれた機械的テープ固定手段の固定はＹテープの適用時に個々の物品の縁部分のまわりで折りたたまれることが必要であるＹテープが使用されるときより制御された方法で実施されてもよい。本発明の教示に従って物品の機械的テープ固定手段を取り付けるためには、製造者の結合表面は内部層に対して適用されかつその層に接続されることが必要であり、それは製造の見地からより簡単であり、物品が構成される材料の交換及び製造変化についてより大きな自由度を提供する。
【００１５】
ここで使用されるような破壊可能な結合という表現はテープ固定手段の保管状態のためだけに設計された追加の結合領域または剥離被覆の如き補助的な材料を必要としない結合であるとして理解されなければならない。好ましくは、結合は熱的に又は超音波的に生成された溶接の形である。
【００１６】
それらの保管の状態では、テープ固定手段は内部層上に全体に配置され、テープ固定手段の側方最外端縁が前記側方部分の側方縁の内側に位置される。この方法では、テープ固定手段は特にここで述べられた従来の砂時計形状の使い捨て吸収物品（即ちベビー用おむつ、大人用おむつなど）の場合において連続する製造工程中に十分保護され、テープ固定手段は横方向の切断、横方向の折りたたみ及びパッケージ中への挿入前に内方に折りたたまれる側方部分上に配置される。
【００１７】
本発明の別の好適な例は、物品の保管状態において、機械的テープ固定手段が一つの折り目だけを含むこと、折り目が前記保管状態ではテープ固定手段の側方最外端縁を形成すること、テープ固定手段が中央部分を含み、中央部分が前記破壊可能な結合によって第一端部分に接続され、中央部分が第一端部分をカバーすること、及び使用者の結合表面が前記折りたたまれた保管状態にあるとき、対向する端部分が第一端部分の側方内側に位置されることを特徴とする。
【００１８】
追加の好ましい例は特許請求の範囲から明らかであるだろう。
【００１９】
図面の簡単な記述
本発明は添付図面を参照して以下により詳細に記載されるだろう。
図１は平らで延ばされた状態のベビー用おむつを示し、おむつの内部層に向かって内側から見た図である。
図２は平らで延ばされた状態の図１のベビー用おむつを示し、おむつの外部層に向かって外側から見た図である。
図３はおむつの内部層に取り付けられた保管の状態の機械的テープ固定手段を示す図１のおむつのコーナ部分の拡大図である。
図４は使用状態のテープ固定手段を示す図３のコーナ部分の図である。
図５は拡大して示された図４の線Ｖ−Ｖに沿った横断面である。
図６は保管状態のテープ固定手段における結合を破壊するために必要な強度を試験する方法によって得られた様々なタイプの結合破裂の概略図である。
【００２０】
発明を実施するための方式
図面に示されたベビー用おむつは砂時計形状であり、第一端部分１、第二端部分２、及び中間股部分３を含む。おむつは縦方向に延びる中央部分５（その中央領域は液体透過性であり、それは例えば繊維布、いわゆる不織布からなる）、及び二つの縦方向に延びる側方の縁部分６，７（それは液体不透過性であるか又は疎水性であることが好ましい）からなる内部層４を含む。中央部分５は相互接続線８，９及び１０，１１，１２，１３によって側方の縁部分６，７に接続され、前記相互接続線は好ましくは超音波溶接の形である。側方部分６，７は疎水性になるように処理された不織布からなってもよいし、又はそれは当業者に公知の幾つかの他の液体不透過性材料からなることもできる。前記部分からなる内部層は少なくともその側方の端縁に沿って外部層１４に接合され、それは本ケースではポリウレタンと繊維布の薄い外部層の積層製品の如き液体不透過性材料からワンピースで形成される。
【００２１】
股部分３の縁に沿って、おむつは脚が当たる弾性手段１５，１６を与えられる。側方部分６，７は中央部分と幾分側方でオーバーラップし、尿及び糞便がおむつ縁に向かう方向におむつの側方に広がるのを防止するのに役立つ内部バリヤー１７，１８を形成する。バリヤー１７，１８は予備緊張された弾性バンド又は糸１９，２０をそれらの内部縁に与えられ、弾性バンド又は糸１９，２０は本質的におむつの股領域に沿って延び、かつおむつの使用時に、バリヤーが内部層から立つように配置される。おむつの端部分では、バリヤーは相互接続線１０−１３によって中央部分５に対して当たる位置で保持される。吸収体２１は外部層１４と内部層４の間に封入される。示された例によれば、吸収体２１は第一端部分１、前部分の領域において幾分幅広くなり、対向する端部分、おむつの後部分２において柔らかく丸められた構成を有する。吸収体２１は粒子又は繊維の形で高吸収性材料を混合させた例えばセルロース毛羽からなることができる。
【００２２】
おむつの後部分２において、予備緊張された弾性腰バンド２２は外部及び内部おむつ層の間に与えられる。
【００２３】
二つの対向する側方部分２３，２４（即ち、おむつの後部分２のコーナ部分）において、おむつは機械的テープ固定手段２５，２６を与えられ、それらは製造者の結合表面によって内部層４に永続的に接合される。おむつの対向する端部分１（即ち、前部分）において、機械的テープ固定手段に相補的である結合表面が図２から最も明らかなように外部層１４の外部表面上に配置される。この結合表面はフックアンドループ固定手段として知られる種類の固定の部分の一方として作用する細長いバンド２７によって形成され、それらの他方部分は以下により詳細に記載されるようにテープ固定手段上の使用者の結合表面によって形成される。細長いバンド２７の材料はテープ固定手段上に形成されるフックと協働するための開口、ループ又は繊維フィラメントで形成されている。細長いバンドのために好適な材料の例は上述の特許明細書ＥＰ−Ａ１−０３２４５７８に記載されている。
【００２４】
図３はコーナ部分２３の内部層に対して保管状態で取り付けられているような機械的テープ固定手段２５を示す。テープ固定手段は予め製作され、折りたたまれた状態で適用され、単一の折り目３８がテープ固定手段の側方の最外端縁を形成する。折り目３８又は端縁と縁４０の間に、固定手段は製造者の結合表面２８（図５参照）で形成され、それはベビー用おむつの製造工程においてテープ固定手段の永続的固定のための接着剤３９で被覆される。示された例によれば、テープ固定手段は三層からなる支持体ストリップを含み、それは図５を参照してより詳細に記載されるだろう。支持体ストリップは本質的に三つの副部分を有し、それらは図４及び５から最も明らかである。一つの副部分は折り目３８と縁４０の間に延びる製造者の結合部分２８によって形成される。加えて、中央部分２９と遠位部分３０がある。フックアンドループ固定手段の部分の一つは遠位部分上に適用され、前記部分はフック又は同様物の形で使用者の結合表面３１で形成されたストリップであり、前記フックはストリップから突出し、おむつが使用者の腰のまわりに装着されるときにフックアンドループ固定手段が使用されると、フックアンドループ固定手段の他の部分を形成する細長いバンド２７において固定される。前記使用者の結合表面３１を形成するためにフック又は同様物で形成される機械的テープ取付部分の例は前述の特許明細書ＥＰ−Ａ１−０３２４５７８に示されている。
【００２５】
その保管状態では、テープ固定手段２５は図３に示されるように折りたたまれ、この状態では中央部分２９は熱又は超音波溶接の形の結合によって製造者の部分２８に接合されている。図３は線状溶接のパターンの形でこの結合３２を示す。このタイプの結合の利点は接着剤又は剥離剤被覆及び関連する支持体ストリップの形の追加の材料が全く必要ないことである。保管状態では、フック及び同様手段を上に含む使用者の結合表面３１はテープ固定手段の支持体ストリップによって保護され、結合３２が破壊される前に結合表面の偶然のフックオンに対する危険が全くない。ベビー用おむつの内部層は織物状開放繊維表面を通常有し、それに対して機械的テープ固定手段の結合表面３１が少し接着し、保管状態では、結合表面３１はコーナ部分２３において内部おむつ層に弱く接着する。あるいは結合表面３１の外側の外縁部分３３は感圧性接着剤（図示せず）を与えられることができ、おむつの保管状態ではおむつの内部層に対してテープ固定手段の遠位部分をより強く結合すること及びパッケージがおむつの内側に尿及び糞便を包囲して形成されるように使用済おむつを封止することの両方に役立つ。
【００２６】
テープ固定手段２５の支持体ストリップは図５からわかるように三層ストリップである。中間層３４は弾性フィルムの形であり、それはおむつの装着や幼児の動きと関連した応力を受けたときに弾性的に延伸可能である。おむつの装着と関連して通常起こる応力は２００−２０００ｇのオーダであり、その応力は最初に固定されたテープ固定手段上のものと比較して最後に固定されたテープ固定手段上の方が高い。幼児の動きの結果としておむつの使用中に生じる応力負荷は１００−５００ｇのオーダであり、太った幼児の場合には少し高い。
【００２７】
示された例によれば、不織布の層３５は弾性フィルムとともに積層される。不織布層は弾性フィルムの動きに従う。テープの機械的結合表面で形成されたストリップは接着剤３６によって前記不織布層３５に接合される。非弾性布の層３７は弾性フィルム３４の対向する面に取り付けられる。この場合に使用されるような非弾性はテープ固定手段がおむつの使用中にさらされる応力を受けるときに層３７が延伸しないことであるとして理解されなければならない。製造者の結合部分２８に沿って及び遠位部分に沿って、非弾性不織布層は弾性フィルムに接合され、その結果弾性フィルムの弾性応力がこれらの領域において失われる。しかしながら、中央部分２９においては、非弾性不織布層は図５に示されているように離間された点のみで弾性フィルムに接合され波形にされている。結果として、テープ、固定手段の中央部分は図５の状態から完全に延ばされた状態まで弾性的に遠心可能であり、そこでは非弾性不織布層の波形は完全にまっすぐにされる。図５はおむつの内部層４及び外部層１４の部分片並びに接着剤被覆の被膜３９（即ち、テープ固定手段と内部層の間に配置された製造者の結合表面）を示す。
【００２８】
テープ固定手段の中央部分２９と製造者の結合部分２８の間の結合３２は折りたたまれたテープ固定状態においておむつへの機械的テープ固定手段の信頼性ある取り付けを確実にする大きさであると同時に、結合はおむつを装着しようとする人が破壊することが困難でないようにすべきである。４０ｍｍの幅を有するストリップをはずすのに十分な力が０．２Ｎより下であるとき結合は弱すぎ、一方４０ｍｍの幅を有するストリップをはずすのに十分な力が２．０Ｎより上であるとき破壊することが困難である。従って、４０ｍｍの幅を有するストリップ上の結合を破壊するために０．２〜２．０Ｎの範囲の力が必要とされるときに、結合は満足に機能する。好ましくは、結合を破壊するために必要な力は４０ｍｍの幅を有するストリップに対して０．５〜１．５Ｎの範囲であるべきである。
【００２９】
結合を破壊するために必要な力の測定のための測定方法は以下に記載されるだろう。
【００３０】
積層強度の測定のための試験方法：
【００３１】
この方法の目的は積層体の二つの異なるシートを互いに分離するのに必要な力の平均値を測定することである。この方法は接着、熱結合又は溶接によって一緒に接合される二つ又は幾つかのシートを含む積層体に適用可能である。
【００３２】
原理：
シートを分離し、引張強度試験機に個々のシートを取り付け、脱着が９０°の角度で行われることを確実にする方法で分離されていない部分を保持する。
横方向及び縦方向で材料を試験する。
【００３３】
装置：
引張強度試験機
プロッタ機能付のプリンタ
パンチング又はカッティング装置
【００３４】
試験片の作成：
−  ２５×２００ｍｍの試験片を横方向に五つ、縦方向に五つカット又はパンチする。ストリップは試験片全体に均一に分布されるべきである。
−  ５０±５％の空気湿度レベル及び２３±２℃で４−４８時間、試験片を状態調節する。
−  湿潤試験片：試験ストリップを封止可能なプラスチックバッグ中に置く。バッグ中に脱イオン水を注ぎ、それを封止する。それを気候制御空間に４時間放置する。３０分以内に脱着されることができるより多くの試験ストリップを一回で湿潤させないようにする。この方法では、全ての試験ストリップは４〜４．５時間の“湿潤時間”を有するだろう。
【００３５】
手順：
装置指示書に従って引張強度試験機を調製する。
クリップの長さ５０ｍｍ
引張速度３００ｍｍ／分
紙の速度３００ｍｍ／分
引張強度試験機を校正する。
試験ストリップの一端でシートを分離する。
クリップに縁を取り付ける。
試験工程中、試験片の積層部分を一方の手で緩く、しかも積層された部分に対して直角に支持する。
２５０ｍｍにわたって引っ張られるヘッドの変位中、即ち１２５ｍｍの長さの脱着中の力を記録する。
接着された積層体の場合では：脱着が起こったときを記録し、図６に示された分離コードキーに従って各分離コードを記録する。
横方向に五つの許容可能な試験及び縦方向に五つの試験を行う。
【００３６】
結果の計算及び記録：
１０ｍｍから２１０ｍｍまでの引っ張られたヘッドの動きの平均の力（Ｎ／２５ｍｍ）及び平均のピーク値（Ｎ／２５ｍｍ）を計算する。
【００３７】
そのレポートは以下のものを含まなければならない。
試験ストリップ／試験片の数
横方向及び縦方向における平均の脱着力の平均値
最大値の平均値
最小値の平均値
標準偏差
分離コードリストの明細（実施例：２  Ａ１＋３Ｂ）
【００３８】
精度：０．０１Ｎ
【００３９】
参照：ＡＳＴＭ  Ｄ  １８７６−７２
【００４０】
本発明による機械的テープ固定手段２５，２６は内部層４の内部表面に折りたたまれた状態で取り付けられる。製造工程はＹテープを含む解決策の如き従来技術の解決策の場合より簡単で信頼性のある方法で実施されてもよい。上述のように、本発明による物品のための機械的テープ固定手段に関する全ての折りたたみ工程はベビー用おむつの如き使い捨て吸収物品の合理的かつ競争的な製造のための現代の機械に見出される高いウェブ速度よりかなり低いスピードで実施されてもよい。
【００４１】
本発明による機械的テープ固定手段の製造はおむつが製造される第２の高スピードの約５−３０％にすぎない第１の低スピードで実施されることができる。
【００４２】
機械的テープ固定手段を製造するための方法は下記工程を含む：
Ａ．  図５に示された例と関連して記載されたように例えば三層構成（即ち、弾性フィルムの形の中間層、不織布層及び不織布の被弾性層）のキャリアウェブを機械的テープ固定手段のための製造ラインに供給する。
【００４３】
Ｂ．  キャリアウェブの縦縁部分を自らの上に折りたたむ。
【００４４】
Ｃ．  折りたたまれた縁部分を好ましくは熱的又は超音波溶接の形で弱い破壊可能な結合によって折りたたまれていない部分に取り付ける。結合は線状溶接又は離間されたドットのパターンの形であることができる。結合はパターンの一部を表すか又はランダムに分布されることができる。
【００４５】
Ｄ．  二列のキャリアウェブが同じベース材料から形成される場合においてキャリアウェブを分割する。
【００４６】
Ｅ．  フックアンドループ固定手段の一部を形成することを意図される突出するフックを有するウェブの形のおむつ使用者取付手段を折りたたまれていない部分に接合する。
【００４７】
Ｆ．  接着剤の形のおむつ製造者取付手段をキャリアウェブの折りたたまれた部分に接合し、かくして使用者及び製造者の取付手段を同じ方向で面させる。
【００４８】
Ｇ．  タブキャリア材料を走行方向に垂直に切断することによっておむつ固定タイプを形成する。
【００４９】
Ｈ．  第一の低スピードで形成されたおむつ固定タブを第一の低スピードからおむつの製造スピードに対応する第二の高スピードに加速する。
【００５０】
Ｉ．  おむつの内部層を形成するおむつ材料ウェブの上方に面する側に前記第二の高スピードでおむつ固定タブを取り付ける。
【００５１】
取り付けられたおむつ固定タブは図３に示される。固定タブ３１の外側の外縁部分３３はフックを有する固定タブが上の工程Ｅにおいてキャリアウェブに固定されるとき感圧性接着剤（図示せず）を与えられることができる。
【００５２】
本発明は上述の例に限定されないが、特許請求の範囲内で幾つかの変更が可能である。
【００５３】
弾性テープ固定手段はその保管状態のときに幾つかの折り目を含んでもよい。これは例えばおむつ自体に狭い形状を与えることが望ましいときに長いテープ固定手段が望ましいなら適切であろう。しかしながら、テープ固定手段が内部層に永続的に取り付けられ、機械的テープ結合表面によって外部層の外部表面上に相補的な結合表面に接合されることができるためには折り目の数は奇数であることが不可欠である。
【００５４】
テープ固定手段は当然、三層で設計される必要はない。例えば内部不織布層３５をなしで済ませてもよい。
【００５５】
加えて、波形の不織布層を除去してもよい。この種の好適な材料の一例はＦａｂｒｉｆｌｅｘ  １０６Ｄの名称の下でＴｒｅｄｅｇａｒによって販売される弾性フィルムである。
【００５６】
テープ固定手段は弾性部分も含む必要はない。好適な非弾性代替物はＰｅｇａｓによって販売される４０−１００ｇ／ｍ２の単位面積あたりの重量を有するスパンボンド不織布製品である。
【００５７】
上の記載はベビー用おむつに関してなされた。しかしながら、本発明は女性の衛生ナプキンの如き装着者の腰のまわりに取り付けられてもよい大人のおむつ及び他の使い捨て衛生吸収物品を包含する。機械的テープ固定手段の幅は４０ｍｍのオーダであってもよい。もし長いテープ固定手段が望ましいなら、さらなる安定のために幅を増加してもよい。テープ固定手段の幅は３０〜１００ｍｍの範囲であるべきである。
【図面の簡単な説明】
【００５８】
【図１】平らで延ばされた状態のベビー用おむつを示し、おむつの内部層に向かって内側から見た図である。
【図２】平らで延ばされた状態の図１のベビー用おむつを示し、おむつの外部層に向かって外側から見た図である。
【図３】おむつの内部層に取り付けられた保管の状態の機械的テープ固定手段を示す図１のおむつのコーナ部分の拡大図である。
【図４】使用状態のテープ固定手段を示す図３のコーナ部分の図である。
【図５】拡大して示された図４の線Ｖ−Ｖに沿った横断面である。
【図６】保管状態のテープ固定手段における結合を破壊するために必要な強度を試験する方法によって得られた様々なタイプの結合破裂の概略図である。
【図１】
2004522504.tif 000003
【図２】
2004522504.tif 000004
【図３】
2004522504.tif 000005
【図４】
2004522504.tif 000006
【図５】
2004522504.tif 000007
【図６】
2004522504.tif 000008
【国際公開パンフレット】
2004522504.tif 000009
2004522504.tif 000010
2004522504.tif 000011
2004522504.tif 000012
2004522504.tif 000013
2004522504.tif 000014
2004522504.tif 000015
2004522504.tif 000016
2004522504.tif 000017
2004522504.tif 000018
2004522504.tif 000019
2004522504.tif 000020
2004522504.tif 000021
2004522504.tif 000022
2004522504.tif 000023
2004522504.tif 000024
2004522504.tif 000025
2004522504.tif 000026
2004522504.tif 000027
2004522504.tif 000028
2004522504.tif 000029
2004522504.tif 000030
2004522504.tif 000031
2004522504.tif 000032
2004522504.tif 000033
2004522504.tif 000034
2004522504.tif 000035
【手続補正書】
【提出日】平成15年7月22日(2003.7.22)
【手続補正１】
【補正対象書類名】特許請求の範囲
【補正対象項目名】全文
【補正方法】変更
【補正の内容】
【特許請求の範囲】
【請求項１】
ベビー用おむつ、失禁おむつ、又はそれらの類似物品の如き使い捨て吸収物品であって、前記物品が物品の使用中使用者の腰領域を完全に又は部分的に包囲することを意図される第一端部分（１）及び第二端部分（２）、及び中間股部分（３）を含み、前記部分が使用中使用者の方に向けられかつ少なくとも使用者の性器に対向する股部分において液体透過性である内部層（４）を含み、さらに前記物品が液体不透過性外部層（１４）、及び前記外部及び内部層の間に配置された吸収体（２１）を含み、前記物品が機械的テープ固定手段（２５，２６）を第二端部分（２）の領域に形成されており、機械的テープ固定手段（２５，２６）が、物品の適用時に第一端部分（１）の外部層上に配置されかつ機械的テープ固定手段（２５，２６）に相補的である一つ又は幾つかの固定部分（２７）と脱着自在に相互接続されることを意図されるものにおいて、
前記物品が少なくとも二つの前記テープ固定手段（２５，２６）を含み、それらが前記第二端部分（２）の対向する側方部分（２３，２４）の物品の内部層（４）上に配置されていること、
テープ固定手段（２５，２６）が一つの縦方向及び一つの横方向の延長部を有すること、
前記テープ固定手段がテープ固定手段（２５，２６）の第一端部分（２８）上に配置された製造者の結合表面（３９）によって物品の内部層（４）に永続的に接合されていること、
使用者の結合表面（３１）がテープ固定手段の対向する第二端部分（３０）、使用者の端部分上に配置されていること、
物品の使用前、テープ固定手段（２５，２６）が折りたたまれた保管状態で配置され、前記テープ固定手段の各々は奇数の折り目（３８）で形成され、前記製造者の結合表面（３９）と前記使用者の結合表面（３１）の両方の結合表面が物品の内部層（４）の方に向けられること、
二つの対向するテープ固定手段（２５，２６）の使用者の端部分（３０）が前記保管状態で互いに面し、前記物品の保管状態では個々の折りたたみ部（それぞれ２８及び２９）が熱又は超音波溶接の形の破壊可能な結合（３２）によって他の折りたたみ部（それぞれ２８及び２９）の少なくとも一つに接合され、前記結合が前記テープ固定手段の使用の状態を確立するために破壊可能であることを特徴とする物品。
【請求項２】
物品の保管状態において、テープ固定手段（２５，２６）が内部層（４）上で全体に配置され、テープ固定手段の側方最外端縁（３８）が前記側方部分（２３，２４）の側方縁の内側に位置されることを特徴とする請求項１に記載の物品。
【請求項３】
物品の保管状態において、機械的テープ固定手段（２５，２６）が一つの折り目（３８）だけを含むこと、折り目が前記保管状態ではテープ固定手段の側方最外端縁を形成すること、テープ固定手段が中央部分（２９）を含み、中央部分（２９）が前記破壊可能な結合（３２）によって第一端部分（２８）に接続され、中央部分（２９）が第一端部分（２８）をカバーすること、及び使用者の結合表面（３１）が前記折りたたまれた保管状態にあるとき、対向する端部分（３０）が第一端部分（２８）の側方内側に位置されることを特徴とする請求項１または２に記載の物品。
【請求項４】
使用者の結合表面（３１）がフックアンドループ固定手段のフックの形であること、及び相補的な固定部分（２７）がフックアンドループ固定手段の他の半分を形成し、かつフックを固定できる材料から形成され、前記材料がフックとの協働のための開口、ループ又は繊維フィラメントで形成されていることを特徴とする請求項３に記載の物品。
【請求項５】
物品の内部層（４）が繊維を含み、その繊維において使用者の結合表面（３１）のフックが固定されてフックアンドループ固定手段に対して相対的に弱い結合及び中央部分と第一端部分の間の前記結合を形成することを特徴とする請求項４に記載の物品。
【請求項６】
機械的テープ固定手段（２５）の最外端部分（３３）が弱い接着力を与える感圧性接着剤で被覆されていることを特徴とする請求項３〜５のいずれか一つに記載の物品。
【請求項７】
４０ｍｍの幅を有する互いに一緒に接合されたテープ固定手段ストリップから分離するために０．２〜２Ｎ、好ましくは０．５〜１．５Ｎの範囲の力が要求されることを確実にするように前記破壊可能な結合（３２）が設計されていることを特徴とする請求項１〜６のいずれか一つに記載の物品。
【請求項８】
結合（３２）が点又は線のパターンの形であること、及び結合がテープ固定手段（２５）に対する損傷なしに破壊可能であることを特徴とする請求項１〜７のいずれか一つに記載の物品。
【請求項９】
機械的テープ固定手段（２５，２６）が３０〜１０ｍｍの幅を有することを特徴とする請求項１〜８のいずれか一つに記載の物品。
【請求項１０】
機械的テープ固定手段が二つの端部分（２８，３０）の間に配置された少なくとも一つの弾性部分（２９）を含み、前記弾性部分が物品の使用中の負荷の発生時に延伸するように配置されていることを特徴とする請求項１〜９のいずれか一つに記載の物品。
【請求項１１】
機械的テープ固定手段（２５，２６）が物品の使用中の負荷の発生時に延伸しないことを特徴とする請求項１〜９のいずれか一つに記載の物品。
【手続補正２】
【補正対象書類名】明細書
【補正対象項目名】００１３
【補正方法】変更
【補正の内容】
【００１３】
この目的のため、本発明による物品は、前記物品が少なくとも二つの前記テープ固定手段を含み、それらが前記第二端部分の対向する側方部分の物品の内部層上に配置されていること、
テープ固定手段が一つの縦方向及び一つの横方向の延長部を有すること、
前記テープ固定手段がテープ固定手段の第一端部分上に配置された製造者の結合表面によって物品の内部層に永続的に接合されていること、
使用者の結合表面がテープ固定手段の対向する第二端部分、使用者の端部分上に配置されていること、
物品の使用前、テープ固定手段が折りたたまれた保管状態で配置され、前記テープ固定手段の各々は奇数の折り目で形成され、前記製造者の結合表面と前記使用者の結合表面の両方の結合表面が物品の内部層の方に向けられること、
二つの対向するテープ固定手段の使用者の端部分が前記保管状態で互いに面し、前記物品の保管状態では個々の折りたたみ部が熱又は超音波溶接の形の破壊可能な結合によって他の折りたたみ部の少なくとも一つに接合され、前記結合が前記テープ固定手段の使用の状態を確立するために破壊可能であることを特徴とする。




【国際調査報告】
2004522504.tif 000036
2004522504.tif 000037
2004522504.tif 000038